(57)【特許請求の範囲】
【請求項１】
背凭れの下端近傍の右側縁部及び左側縁部に回動支点となり得る基点を設け、左右の基点の何れか一方を回動支点、他方を遊動点として背凭れが左右への回動動作を行い且つ着座者の挙動に伴い背凭れに作用する付勢力の向きに応じて回転支点が左右の基点間で入れ替わることにより、背凭れの幅方向中央を縦断する中心線が、着座者の右肩上がりの挙動若しくは右肩下がりの挙動に追従して左右に傾倒し得るように背凭れを可動としたことを特徴とする椅子。
【請求項２】
基点が背凭れに固定した軸部であって、この軸部を背支桿側に設けた軸受部に軸支させておき、背凭れの回動時に回動支点となる軸部を軸受部に軸支させたままで遊動点となる軸部を軸受部から遊離させるようにしている請求項１に記載の椅子。
【請求項３】
軸受部が長孔を有する支持部材の長孔下端に設定され、遊動する軸部がこの長孔に沿って当該長孔上端まで遊動するようにしている請求項２に記載の椅子。
【請求項４】
基点が背凭れに設けた軸受部であって、この軸受部を背支桿側に設けた軸部に軸支させておき、背凭れの回動時に回動支点となる軸受部を軸部に軸支させたままで遊動点となる軸受部を軸部から遊離させるようにしている請求項１に記載の椅子。
【請求項５】
軸受部が長孔を有する支持部材の上端に設定され、遊動する軸受部がこの長孔に沿って軸部を長孔下端まで遊動させるようにしている請求項４に記載の椅子。
【請求項６】
軸部が止着具を兼ね、この止着具を支持部材に締着することによって背凭れを選択的に固定し得るようにしている請求項２〜５のいずれかに記載の椅子。
【請求項７】
背凭れの下端近傍の側縁に背凭れの傾倒動作を促す括れ部を設けることで、背凭れの幅方向中央を縦断する中心線が、着座者の右肩上がりの挙動若しくは右肩下がりの挙動に追従して左右に傾倒ないし湾曲し得るように背凭れを可撓としたことを特徴とする椅子。
【請求項８】
着座者の右肩上がりの挙動に伴う平面視左回りのねじり動作、若しくは、着座者の右肩下がりの挙動に伴う平面視右回りのねじり動作に追従して、背凭れがそのねじり方向に向きを変え得るものである請求項１〜７のいずれかに記載の椅子。
【請求項９】
背凭れの背面に形成した可動面が背支桿側に形成したバックアップ面上を異なる曲率の下に接触して幅方向に転動するように構成している請求項８に記載の椅子。
【発明の詳細な説明】
【技術分野】
【０００１】
本発明は、オフィス等において好適に適用される椅子に係り、ワーカーの挙動に適合したバックアップ機能を与える背支持装置、座支持装置及び椅子に関するものである。
【背景技術】
【０００２】
オフィス等で使用される椅子は、長時間のデスクワーク等を考慮して、体を適切にバックアップすべく、執務中の体に負担が掛からないための背座の形状や角度、リフレッシュや安息のためのチルト機能やロッキング機能など、様々な工夫が凝らされている。
【０００３】
しかしながら、オフィス等においては、片肘にもたれ足を組む等して休息したり、着座したまま振り向いて側方ないし斜め後方のワーカーと簡単なやりとりをしたり、書類その他の物品を周辺に移動させるケース等が少なくない。このような場合、前後方向の動作に重点をおいて作られている従来の椅子では、背が動作の妨げになることは多々あり得る。
【０００４】
オフィスで使用される椅子ではないが、従来とは異なる体の動きに配慮したものとして、特許文献１に示すように、自動車において後方確認等のために必要な体の動きをバックアップし得るようにした自動車用座席の機能が提案されている。この座席は、幅方向中心を縦断する位置に回転軸を設け、下半部と独立に設けた背の上半部をこの回転軸回りに回転させることで、体のひねり動作に対応するようにしたものである。
【特許文献１】実公平４−３４１１１号公報
【発明の開示】
【発明が解決しようとする課題】
【０００５】
しかしながら、かかる座席機能は、確かにハンドルを握ったままで振り向く動作をバックアップするものとしては適しているかも知れないが、オフィス等で行なわれる動作をバックアップする機能としては必ずしも妥当しない。オフィス等においては、上述した着座時に安息や周辺へのアクセスを行なう際に背骨を動かさずに背骨を中心に体をねじるといった上記特許公報の如き動作はむしろ不自然であり、実際には右肩を上げ下げしながら、体を傾ける挙動を伴うものである。
【０００６】
本発明は、このような知見に基づき、オフィスにおける着座者の動作により良く適合し得る新規有用な椅子を新たに提供しようとするものである。
【課題を解決するための手段】
【０００７】
本発明は、かかる目的を達成するために、次のような手段を講じたものである。
すなわち、本発明の椅子は、背凭れの下端近傍の右側縁部及び左側縁部に回動支点となり得る基点を設け、左右の基点の何れか一方を回動支点、他方を遊動点として背凭れが左右への回動動作を行い且つ着座者の挙動に伴い背凭れに作用する付勢力の向きに応じて回転支点が左右の基点間で入れ替わることにより、背凭れの幅方向中央を縦断する中心線が、着座者の右肩上がりの挙動若しくは右肩下がりの挙動に追従して左右に傾倒し得るように背凭れを可動としたことを特徴とする。
【０００８】
一般的な椅子において着座したまま体の重心を幅方向に移動させれば、右肩が上がり下がりしながら、背骨が左右に傾くのが通例である。本発明によれば、まさにこのような動作を背凭れに行わせることで、着座者と背凭れとの相対関係を維持することができ、着座者が動いても背凭れが邪魔にならず、かつ適切なサポート状態を持続することが可能となる。また、着座者が体を左右に傾ける挙動を行なうときにさほど動かない腰の左側縁又は右側縁あたりの部位に支点を位置づけることになるので、背凭れを背の動きに適切に追従させることができる。
【００１１】
回動支点が左右の基点間で入れ替わる動作に対応するためには、基点を背凭れに固定した軸部とし、この軸部を背支桿側に設けた軸受部に軸支させて、背凭れの回動時に回動支点となる軸部を軸受部に軸支させたままで遊動点となる軸部を軸受部から遊離させるようにしておくことが好適である。
【００１２】
この場合の好ましい実施の態様としては、軸受部が長孔を有する支持部材の長孔下端に設定され、遊動する軸部がこの長孔に沿って当該長孔上端まで遊動するようにしているものが挙げられる。
【００１３】
或いは、回動支点が左右の基点間で入れ替わる動作に対応するための他の構成としては、基点が背凭れに設けた軸受部であって、この軸受部を背支桿側に設けた軸部に軸支させておき、背凭れの回動時に回動支点となる軸受部を軸部に軸支させたままで遊動点となる軸受部を軸部から遊離させるようにしているものも好適である。
【００１４】
この場合の好ましい実施の態様としては、軸受部が長孔を有する支持部材の上端に設定され、遊動する軸受部がこの長孔に沿って軸部を長孔下端まで遊動させるようにしているものが挙げられる。
【００１５】
目的・用途に応じて適切な利用を可能とするためには、軸部が止着具を兼ね、この止着具を支持部材に締着することによって背凭れを選択的に固定し得るようにしておくことが望ましい。
【００１６】
本発明の他の構成からなる椅子として、背凭れの下端近傍の側縁に背凭れの傾倒動作を促す括れ部を設けることで、背凭れの幅方向中央を縦断する中心線が、着座者の右肩上がりの挙動若しくは右肩下がりの挙動に追従して左右に傾倒ないし湾曲し得るように背凭れを可撓としたものであっても、上記に準じた作用効果が奏される。
【００１７】
着座者の動きにより的確に対応するためには、着座者の右肩上がりの挙動に伴う平面視左回りのねじり動作、若しくは、着座者の右肩下がりの挙動に伴う平面視右回りのねじり動作に追従して、背凭れがそのねじり方向に向きを変え得るものであることが望ましい。
【００１８】
このような機能を簡素に実現するためには、背凭れの背面に形成した可動面が背支桿側に形成したバックアップ面上を異なる曲率の下に接触して幅方向に転動するように構成しているものが効果的である。
【発明の効果】
【００１９】
本発明は、以上説明した構成であるから、着座者が安息したい方向やアクセスしたい方向に体を傾ける挙動を行なっても背凭れを邪魔にならないように追従させ、これにより適切なバックアップ状態を維持できるようにした新規有用な背支持装置を提供することができる。
【発明を実施するための最良の形態】
【００２０】
以下、本発明の一実施形態を、図面を参照して説明する。
【００２１】
図１及び図２に示す本実施形態の椅子は、背支桿１に背支持装置２を介して背凭れ３を支持するものであり、その背支持装置２は、座８に着座した着座者の側方ないし斜め後方へのねじり動作や側方への倒れ動作に適合すべく、背凭れ３を同方向に可動に支持する機能を備えている。また、この椅子はランバーサポート４を備え、そのランバーサポート４を簡単な構造及び操作を通じて所望の突出量、高さ位置にダイレクトに調節できるようにしている。
【００２２】
具体的に説明すると、背支桿１は対をなして後上方に突設され、その突出端にブラケット１１を介してバックアップ部材１２を横架してなるもので、このバックアップ部材１２は図３等に示すように前面をバックアップ面１２ａとする金属板状をなし、中央の平坦部１２ｘに隣接させて、左右の端部に至る領域に塑性変形加工によって所定曲率の湾曲部１２ｙを形成している。また、背支桿１の腰椎対応付近には、ブラケット１３を介して図２及び図４等に示す軸受部材１４が取り付けてある。この軸受部材１４は、略上下方向に延びる長孔１４１ａを開口させた立壁１４１を有し、この立壁１４１を背凭れ３の下方側縁に対向する部位に位置づけている。
【００２３】
一方、背凭れ３は、図１及び図２等に示すように、弾性を有する比較的硬質な樹脂製の背凭れインナーシェル３１の前面側に図示しないクッション材を貼着し、その上より張地３３を背面に亘る部位まで被覆したもので、背凭れインナーシェル３１の成形時に、バックアップ部材１２の対応部位に図３及び図５等に示す可動部材３４を一体成形している。この可動部材３４は後面を可動面３４ａとする板状をなし、中央の平坦部３４ｘに隣接させて、左右の端部に至る領域に前記バックアップ面１２ａよりも大きい所定曲率の湾曲部３４ｙを形成している。そして、この可動面３４ａを前記バックアップ面１２ａに対面する位置に配置している。すなわち、バックアップ面１２ａと可動面３４ａとの対向距離ｄは、湾曲部１２ｙ、３４ｙにおいて中心から幅方向へ変位するにつれて漸次広がる関係をなすように設定してあり、両面１２ａ、３４ａが添接した状態で可動面３４ａがバックアップ面１２ａに対して例えば図３→図５のように接触位置を変えつつ転動し、背凭れ３が図５において矢印で示すように向きを変え得るようにしている。
【００２４】
また、本実施形態は、図２、図３、図６及び図７等に示すように、背凭れインナーシェル３１の成形時に可動部材３４に連続する位置に断面アングル状の補助部材３５を一体成形している。この補助部材３５は、可動面３４ａとの間に所定の空隙Ｐ（図７参照）を形成する位置に規制面３５ａを設けたもので、規制面３５ａは幅方向中央から端部に至る領域に後方に凸となる緩やかな曲面を２つ連接した形態をなし、前記空隙Ｐは下方に解放されている。そして、これら可動部材３４及び補助部材３５をバックアップ部材１２に上方から被せることによって、可動面３４ａと規制面３５ａとの空隙Ｐ内にバックアップ面１２ａを相対揺動可能に収容している。すなわち、可動面３４ａが揺動していない図３の状態では、バックアップ面１２ａと規制面３５ａとの間の少なくとも幅方向中央以外の部分にクリアランスＣを確保し、図５に示す揺動端で規制面３５ａをバックアップ面１２ａに当接させてそれ以上の可動面３４ａの揺動を規制するようにしている。図においては規制面３５ａの端縁３５ａｘがバックアップ面１２ａに局所的に当接しているが、湾曲に沿って幅広く当接させるようにしてもよい。また、バックアップ面１２ａと規制面３５ａとの間における前記幅方向中央部に、ウレタン等の圧縮性素材やバネ素材等からなる付勢手段３６を介在させており、これにより補助部材３５を後方に付勢して、可動面３４ａをバックアップ面１２ａに押し付けるようにしている。
【００２５】
さらに、この背凭れ３には、図２及び図４等に示すように、下端近傍の右側縁部及び左側縁部に回動支点となり得る基点たる軸部３７を、前記背支桿１側に設けた軸受部材１４の略上下方向に延びる長孔１４１ａに貫通させた上で固定しており、長孔１４１ａの下端を軸受部１４ｘとして利用して、背反的に左右の軸部３７の何れか一方を回動支点、他方を遊動点とすることによって、図４に想像線で示すように背凭れ３に左右への回動動作を行わせ得るようにしている。そして、遊動点となる軸部３７を軸受部１４ｘから解離し、長孔１４１ａに沿って当該長孔１４１ａの上端まで遊動させ得るようにしている。また、本実施形態では前記軸部３７をボルト状のものにして止着具としての役割を兼ねさせており、立壁１４１に向かって締め着けることによって背凭れ３を選択的に軸受部材１４に傾動不能に固定し得るようにしている。
【００２６】
このように構成される背凭れ３は、傾動可能な状態下にあっても下方を背支桿１側に前記軸部３７及び軸受部材１４を介して少なくとも前後方向に固定されるが、上方は前記可動面３４ａが少なくともバックアップ面１２ａに前後方向に添接する以外に基本的に拘束を受けない。このため、着座者から背凭れ３に対して中心から幅方向へ変位した位置に図５に矢印Ｗで示すような偏った荷重が作用した場合に、主として背凭れ３を構成する背凭れインナーシェル３１の弾性を利用して当該背凭れ３の上方を下方に対してねじり変形させつつ、可動面３４ａをバックアップ面１２ａに対して接触部分を移動させながら転動させ、バックアップ面１２ａとともに背凭れ３の上部の向きを左右に変更することとなる。
【００２７】
また、着座者が右肩上がりの挙動若しくは右肩下がりの挙動を行い、背凭れ３に背面視右回り又は左回りに旋回する方向の付勢力（例えば図４における矢印Ｔ）が作用した場合には、軸部３５及び軸受部材１４を介して背凭れ３が回動し、その幅方向中央を縦断する中心線ｍを図４に想像線で示すように着座者の右肩上がりの挙動若しくは右肩下がりの挙動に追従させて傾倒させ得るようにしている。適宜の部位に樹脂バネ等を配置して傾倒した背凭れ３を通常位置に復帰させるようにしてもよい。
【００２８】
このような構成に加えて、背支桿１の腰椎対応部分には、図２等に示すように、前記ブラケット１３を利用してランバーサポート４を位置決めし且つ上下方向にガイドするための本発明に係るガイド部たるガイド部材５が取り付けてある。このガイド部材５は樹脂製のもので、図８に示すように前後に対をなす対向壁５１、５２の間に形成した長孔５ａにランバーサポート軸着用の金属製の支軸６を挿通して上下移動させ得るものであり、その一部が支軸６と協働してランバーサポート４に対する上下位置決め機構Ａを構成している。
【００２９】
この上下位置決め機構Ａは、前記支軸６と、この支軸６を係合させるべく前記ガイド部材５の対向壁５２の前向き面に上下方向に沿って間欠位置に設けた部分円筒状の凹所５３とからなるもので、この凹所５３において対向壁５１，５２間を前後方向に拡開させている。
【００３０】
そして、ガイド部材５の一部、具体的には前方の対向壁５１の幅方向中間位置に設けた板状の弾性体５４を、支軸６の挿通方向から見た場合に長孔５ａを狭める位置に配しており、これにより支軸６が何れの凹所５３に係合した状態にあっても図９（ａ）に示すように当該支軸６を凹所５３に向けて弾性付勢するとともに、同図（ｂ）に示すように弾性体５４に抗して凹所５３、５３間を支軸６が移動し得るようにしている。かかる上下位置決め機構Ａの弾性体５４は、支軸６を凹所５３に押し付けることで支軸６に回転抵抗を付与し、回り難くして、ランバーサポート４の上下位置のみならず回転角度をも仮保持する作用をなしている。
【００３１】
一方、背凭れ３側は、図１及び図２等に示すように、前記背凭れインナーシェル３１のうちランバー領域３１ａにＵ字形のスリット３１ｂを設けて弾性変形可能としており、前記ガイド部材５の外壁をそのランバー領域３１ａの側方に対応させて背支桿１に固定し、ランバー領域３１ａに対応させてランバーサポート４を位置づけている。すなわち、ランバーサポート４はこのランバー領域３１ａを弾性変形させながらクッション材３２を前方に押圧する位置に配される。勿論、背凭れインナーシェル３１の一部を切除して弾性変形可能な樹脂板を配置することで対応する構造を妨げるものではない。
【００３２】
このような構成により、支軸６が上下移動すれば、凹所５３ごとに支軸６が係合してその高さ方向の位置決めがなされることになる。凹所５３は弾性体５４より付勢される方向に存するため、着座者から背凭れ３に荷重を掛ければ、支軸６はより強く凹所５３に押し付けられて係合する。
【００３３】
そして、かかる支軸６の左右両端に、背凭れ３の左右の縁部近傍に位置づけて図１及び図１０に示すグリップ状の操作部７を設け、着座者が着座した状態で腕を後方に回して左右の操作部７を把持し、これにより支軸６の上下移動操作をなし得るようにしている。
【００３４】
このとき、支軸６が上下方向に移動するにつれて間欠的に左右の凹所５３に係合し、係合する度に支軸６がクリックストップしてクリック感が支軸６を介して体感されるため、上記支軸６と凹所５３との係合は位置決め機能と別の見方をすれば支軸６の水平を保ちながら移動させるための手掛かりとなるものである。また、前述した凹所５３は水平に延びる部分円筒面をなしているため、この凹所５３の形状も支軸６を水平に誘導する手掛かりを与え得る。
【００３５】
他方、この実施形態におけるランバーサポート４は、図２等に示すように、角柱状のブロック部４１と、このブロック部４１の柱軸ｎから変位した部位に形成した支軸取付部４２とを樹脂一体成形してなるもので、この支軸取付部４２に支軸６を軸着するためのねじ等による回り止め部４３を設け、各ブロック部４１の略平坦な面を図１２（ａ）〜（ｄ）に示すようなサポート面Ｓ（Ｓ（１）、Ｓ（２）、Ｓ（３）、Ｓ（４））となすとともに、隣接するサポート面Ｓ、Ｓ間に角丸部Ｒを設けている。そして、その支軸取付部４２に前記支軸６を取り付け、回り止め部４３で両者を一体回転可能に固定している。
【００３６】
すなわち、各サポート面Ｓは、所定回転位置で図１１（ａ）に示すように仮に均等に荷重Ｆを受ける受圧面となっている状態で、同図（ｂ）に矢印Ｖで示すようにランバーサポート４が回転変位しようとすると、その回転により前方に移動する領域（図ではサポート面Ｓの下半部）が背凭れ３に接近して、回転により後方に移動する領域（サポート面Ｓの上半部）よりも優先して荷重Ｆの受圧を負担する。換言すれば、各サポート面Ｓが受圧面となるとき、支軸６からの距離が最も小さい部位を受圧の中心位置とする姿勢でランバーサポート４は安定し、そこからランバーサポート４が支軸６からの距離を増大させる方向に回転しようとすると、着座者からランバーサポート４に対してその距離を小さくする方向の押圧力が発生するため、ランバーサポート４は安定方向に戻ろうとし、結果的にランバーサポート４を前記所定回転位置に安定保持する作用が営まれる。そして、図１２に示すようにサポート面Ｓの支軸６からの距離Ｌ（Ｌ（１）、Ｌ（２）、Ｌ（３）、Ｌ（４））が基本的に異なるため、何れのサポート面Ｓ（Ｓ（１）、Ｓ（２）、Ｓ（３）、Ｓ（４））が受圧面になるかによって、サポート面Ｓの突出量（すなわちＬ）を変化させ得るようにしている。
【００３７】
そして、前述した操作部７を着座したまま両手で把持して回転操作を加えた場合には、支軸６とともにランバーサポート４が回転して、所望のサポート面Ｓが選択可能となる。
【００３８】
なお、着座者から背凭れ３に荷重が掛からない状態で、最も突出量の小さいサポート面Ｓ（３）が受圧面となったときでも背凭れ３の背面の樹脂板３１ａが押圧されてクッション材３２がやや圧縮された状態にあるように、支軸６の位置を規定している。また、サポート面Ｓ（２）とＳ（４）とは支軸６の設定上、そこからの距離Ｌ（２）、Ｌ（４）が本実施形態では同距離となっているが（図１２における（ｂ）、（ｄ）参照）、これらが受圧面となるときの支軸６を基準とした高さ位置が異なるため、回転を利用した簡便な高さ位置変更機能を有するものということができる。
【００３９】
なお、図示しないが、背支桿１には当該背支桿１や背凭れ３の背面に付帯する機構部品を隠蔽するアウターシェルが取り付けられる。このアウターシェルの一形態として、その内側の一部に背凭れ１に向かって周回状に突出する壁部を有し、その壁部の外壁であって後方から隠蔽可能な位置に背支桿を配置するとともに、内側の空洞に前述した機構部品を収容する構造が考えられるが、この場合、前述した張地３３の背凭れ背面への巻き込みは、その壁部の周囲に密着させてこれを包囲するような状態で取り付けることが好適である。
【００４０】
以上のように、本実施形態の椅子は、背凭れ３の下端近傍の右側縁部及び左側縁部に回動支点となり得る基点を軸部３７によって設け、左右の基点となり得る軸部３７の何れか一方を回動支点、他方を遊動点として背凭れ３が左右への回動動作を行い且つ着座者の挙動に伴い背凭れ３に作用する付勢力の向きに応じて回転支点が左右の基点（軸部３７）間で入れ替わることにより、背凭れ３の幅方向中央を縦断する中心線ｍが、着座者の右肩上がりの挙動若しくは右肩下がりの挙動に追従して左右に傾倒し得るように背凭れ３を可動としたものである。
【００４１】
すなわち、着座者が着座したままで重心を幅方向に移動させる際には、右肩が上がり下がりしながら、背骨が左右に傾く挙動を伴うのが通例である。本実施形態によれば、まさにこのような動作を背凭れ３に行わせることで、着座者と背凭れ３との相対関係を一定に保ち、着座者が動いても背凭れ３が追従して邪魔にならず、適切なサポート状態を持続するといった有用な効果を奏することが可能となる。
【００４３】
また、上記のように、背凭れ３の下端近傍の右側縁部及び左側縁部に回動支点となり得る基点を軸部３７によって設け、左右の軸部３７の何れか一方を回動支点、他方を遊動点として背凭れ３が左右への回動動作を行い且つ着座者の挙動に伴い背凭れ３に作用する付勢力の向きに応じて回転支点が左右の基点（軸部３７）間で入れ替わるようにすると、着座者が体を左右に傾ける挙動を行なうときにさほど動かない腰の左側縁又は右側縁あたりの部位に支点を位置づけることになり、背凭れ３を背の動きに適切に追従させることができる。
【００４４】
その軸部３７は、背支桿１側に設けた軸受部１４ｘに軸支させておき、背凭れ３の回動時に回動支点となる軸部３７を軸受部１４ｘに軸支させたままで遊動点となる軸部３７を軸受部１４ｘから遊離させるようにしているので、回動支点が左右の基点間で瞬時に転移する動作も簡単に実現することができる。
【００４５】
その際、軸受部１４ｘを長孔１４１ａを有する軸受部材１４の長孔下端に設定し、遊動する軸部３７をこの長孔１４１ａに沿って当該長孔上端まで遊動させるようにしているので、遊動する軸部３７をガイドできるだけでなく、軸部３７と軸受部材１４との間で適切な作動抵抗を与えることができ、また、遊動端を規制して背凭れ３の可動範囲を有効に制限することができる。
【００４６】
また、軸部３７が止着具を兼ね、この止着具を軸受部材１４に締着することによって背凭れ３を選択的に固定し得るようにしているので、目的・用途に応じて、或いは着座者の好みに応じて、背凭れ３の傾倒機能を利用するか否かを簡単に選択することができる。
【００４７】
特に、背凭れ支持装置２が、着座者から背凭れ３に掛かる荷重Ｗが背凭れ３の幅方向中心より同方向に偏った場合に、可動面３４ａを左右に向きを変えて追従させ得るようにも構成されており、上述した背の傾動動作とあいまって、着座者の右肩上がりの挙動に伴う平面視左回りのねじり動作、或いは、着座者の右肩下がりの挙動に伴う平面視右回りのねじり動作に追従して、背凭れ３をそのねじり方向に姿勢変更できるようにしている。
【００４８】
このため、着座者の安息時や周辺へのアクセス時に体をねじりながら右肩上がりや右肩下がりの傾倒動作を複合的に行う場合にも、着座者の挙動に背凭れ３をより的確に従動させることが可能となる。
【００４９】
特に、体を捩る際は、背中のうちの背骨に平行な部分が背凭れ３に接触しながら体の転動とともに背骨から離れる方向に移動するのが自然な動きであるが、本実施形態では、背凭れ３の背面に形成した可動面３４ａが背支桿１側に形成したバックアップ面１２ａ上を異なる曲率の下に接触して幅方向に転動するように構成しており、全体として背凭れ３に着座者とほぼ同じ動きを与えて、背の動きに背凭れ３を適切に追従させることが可能となる。
【００５０】
なお、各部の具体的な構成は、上述した実施形態のみに限定されるものではない。
【００５１】
例えば、図１３に示すように、基点として背凭れ３に軸受部１１４ｘを設け、この軸受部１１４ｘを背支桿１側に設けた軸部１３７に軸支させて、背凭れ３の回動時に回動支点となる軸受部１１４ｘを軸部１３７に軸支させたままで遊動点となる軸受部１１４ｘを軸部１３７から遊離させるようにしてもよい。このような構成によっても、回動支点が左右の基点間で転移する動作を簡単確実に与えることができる。
【００５２】
この場合、軸受部１１４ｘが長孔１４１ａを有する軸受部材１４の上端に設定され、遊動する軸受部１１４ｘがこの長孔１４１ａに沿って軸部１３７を長孔下端まで遊動させるように構成することで、遊動する軸受部１１４ｘを支持できるだけでなく、上記実施形態と同様に軸部１３７と軸受部材１４との間で適切な作動抵抗を与えることができ、また、遊動端を規制して背凭れ３の可動範囲を有効に規定することができる。
【００５３】
また、背凭れ３を傾倒させる代わりに、図１４に示すように、背凭れ３の幅方向中央を縦断する中心線ｍが、着座者の右肩上がりの挙動若しくは右肩下がりの挙動に追従して左右に傾倒ないし湾曲し得るように背凭れ３を可撓としても、上記に準じた作用効果を得ることができる。この場合、背凭れ３全体を可撓変形可能に構成してもよいが、図示のように背凭れ３の下端近傍の側縁に背凭れ３の傾倒動作を促す括れ部３ｐを設けることで、背凭れ３それ自体の自立保形性をある程度有効に保ちつつ、所要の動作を効果的に実現することができる。
【００５４】
その他の構成も、本発明の趣旨を逸脱しない範囲で種々変形が可能である。
【図面の簡単な説明】
【００５５】
【図１】本発明の一実施形態に係る椅子の斜視図。
【図２】同分解斜視図。
【図３】同一部破断した平面図。
【図４】同背面図。
【図５】同作用説明図。
【図６】同一部破断した側面図。
【図７】図６の要部拡大図。
【図８】同実施形態におけるガイド部材の拡大斜視図。
【図９】同実施形態における上下位置決め機構の作用説明図。
【図１０】同実施形態における操作部の取り扱い説明図。
【図１１】同実施形態におけるランバーサポートの作用説明図。
【図１２】同実施形態におけるランバーサポートの作用説明図。
【図１３】本発明の変形例を示す図。
【図１４】本発明の他の変形例を示す図。
【符号の説明】
【００５６】
３…背凭れ
３７…基点（軸部）
ｍ…中心線
【図１】
0004707060.tif 000002
【図２】
0004707060.tif 000003
【図３】
0004707060.tif 000004
【図４】
0004707060.tif 000005
【図５】
0004707060.tif 000006
【図６】
0004707060.tif 000007
【図７】
0004707060.tif 000008
【図８】
0004707060.tif 000009
【図９】
0004707060.tif 000010
【図１０】
0004707060.tif 000011
【図１１】
0004707060.tif 000012
【図１２】
0004707060.tif 000013
【図１３】
0004707060.tif 000014
【図１４】
0004707060.tif 000015